(57)【特許請求の範囲】
【請求項１】
転てつ機の動作かんに接続されたロッドに、このロッドの軸方向の遊びを持たせてブラケットが取り付けられ、このブラケットに、トングレールが取り付けられた転てつ棒が固定された構成とされ、
前記動作かんを作動させることにより、前記ロッドを介して前記トングレールを移動させ、前記トングレールを基本レールに接離させるスイッチアジャスタにおいて、
前記動作かんと前記ロッドとの接続を、前記動作かんに接続される第１二股部を一端部に有し、前記ロッドに接続される第２二股部を他端部に有したスライドかんを介して行い、
前記第１二股部と前記第２二股部とは前記スライドかんの周方向へ９０度回転させた位置関係にあり、
前記第２二股部と前記ロッドとを２つ以上の接続具で接続して前記第２二股部と前記ロッドとの間に遊びを設け、
前記ロッドと前記ブラケットとの間の遊びを少なくし、前記動作かんと前記ロッドとの接続部分に遊びを設けた、
ことを特徴とするスイッチアジャスタ。
【発明の詳細な説明】
【技術分野】
【０００１】
この発明は、鉄道の分岐器を転換、鎖錠する転てつ装置のスイッチアジャスタに関するものである。
【背景技術】
【０００２】
図４は転てつ装置のスイッチアジャスタの設置状態を示す平面図に相当する説明図である。
【０００３】
図４において、分岐器１１は、枕木１２に固定された一対（２本）の基本レール１３Ａ，１３Ｂと、可動式の一対（２本）のトングレール１４Ａ，１４Ｂとで構成され、基本レール１３Ａ，１３Ｂのいずれかにトングレール１４Ａ，１４Ｂのいずれかを密着、圧接させることにより、基本レール１３Ａ，１３Ｂに沿って軌道上の車両を基準線または分岐線に導くものである。
【０００４】
この分岐器１１を作動させる転てつ装置２１は、枕木１２に固定され、動作かん２３および差込かん（図示省略）を備えた電気転てつ機２２と、この電気転てつ機２２に取り付けられ、動作かん２３および差込かんを作動させる電動モータ２５と、この電動モータ２５で駆動されるスイッチアジャスタ２６と、このスイッチアジャスタ２６に取り付けられたトングレール１４Ａ，１４Ｂの移動に伴って移動するフロントロッド４２と、このフロントロッド４２に一端が取り付けられた接続かん４３と、この接続かん４３の他端に一端が接続され、差込かんによってロックされるロックロッド４４とで構成されている。
なお、フロントロッド４２は、トングレール１４Ａ，１４Ｂ同士を絶縁するため、例えば、トングレール１４Ａとフロントロッド４２との接続部分と、トングレール１４Ｂとフロントロッド４２との接続部分との少なくとも一方が絶縁処理されている。
【０００５】
上記したスイッチアジャスタ２６は、電気転てつ機２２の動作かん２３に、取付ピンと止めピン、ボルトとナットなどの接続具２９（図５参照）で一端が接続されたロッド２７と、このロッド２７に軸方向の遊びＡ（図５参照）を持たせて取り付けられたブラケット３０と、このブラケット３０に固定された転てつ棒４０と、この転てつ棒４０にトングレール１４Ａ，１４Ｂを取り付ける連結板４１Ａ，４１Ｂとで構成されている。
なお、トングレール１４Ａ，１４Ｂ同士を絶縁するため、例えば、連結板４１Ａとトングレール１４Ａとの接続部分と、連結板４１Ｂとトングレール１４Ｂとの接続部分との少なくとも一方が絶縁処理されている。
【０００６】
図５（ａ），（ｂ）は従来のスイッチアジャスタの一部を省略した正面図と、ロッドと動作かんとの接続部分を示す分解平面図である。
【０００７】
図５において、動作かん２３には、例えば、上下方向に貫通する円形の取付孔２３ａが設けられている。
そして、ロッド２７は、一端の動作かん２３との接続部分が、動作かん２３の一部を挿入できる二股部２７ａとされ、この二股部２７ａに、例えば、上下方向に貫通し、動作かん２３の取付孔２３ａと連通するとともに、接続具２９の一部、例えば、軸部が挿通される円形の取付孔２７ｂが設けられ、二股部２７ａと反対側に雄ねじ部２７ｄが設けられている。
そして、ブラケット３０は、ブラケット本体３１と、このブラケット本体３１に連設または連接されたスリーブ３２とで構成され、ブラケット本体３１が取付ねじ３３で転てつ棒４０に固定されている。
【０００８】
上記したスリーブ３２は、ロッド２７の雄ねじ部２７ｄに螺合させた締付ナット３４と、ロッド２７の雄ねじ部２７ｄに螺合し、締付ナット３４によって固定されるナット３５と、スリーブ３２内を貫通させたナット３５よりも先のロッド２７の雄ねじ部２７ｄに、スリーブ３２を介してナット３５と対向するとともに、ナット３５との間隔をスリーブ３２の長さよりも長くして螺合させたナット３６と、ロッド２７の雄ねじ部２７ｄに螺合し、ナット３６を固定する締付ナット３７とにより、ロッド２７の雄ねじ部２７ｄに、ロッド２７の軸方向に遊びＡを持たせて取り付けられている。
なお、各ナット３４〜３７は、例えば、スリーブ３２に取り付けられた回り止め３９によって回るのを阻止されている。
【０００９】
次に、動作について説明する。
まず、電動モータ２５を作動させることにより、差込かんによるロックロッド４４のロックを解除した後、動作かん２３を基本レール１３Ａ，１３Ｂに近づく方向へ所定ストローク移動させると、動作かん２３に接続されたロッド２７が基本レール１３Ａ，１３Ｂに近づく方向へ移動する。
このように、ロッド２７が基本レール１３Ａ，１３Ｂに近づく方向へ移動することにより、ナット３５がスリーブ３２を押すことにより、転てつ棒４０が移動してトングレール１４Ａ，１４Ｂも移動し、図４に示すように、トングレール１４Ａが基本レール１３Ａに密着、圧接する。
そして、フロントロッド４２、接続かん４３およびロックロッド４４はトングレール１４Ａ，１４Ｂの移動に伴って移動し、ロックロッド４４が差込かんによってロックされ、その位置に止まる。
【００１０】
次に、上記した状態において、電動モータ２５を作動させることにより、差込かんによるロックロッド４４のロックを解除した後、動作かん２３を基本レール１３Ａ，１３Ｂから遠ざかる方向へ所定ストローク移動させると、この動作かん２３に取り付けられたロッド２７が基本レール１３Ａ，１３Ｂから遠ざかる方向へ移動する。
このように、ロッド２７が基本レール１３Ａ，１３Ｂから遠ざかる方向へ移動することにより、ナット３６がスリーブ３２を押すことにより、転てつ棒４０が移動してトングレール１４Ａ，１４Ｂも移動し、トングレール１４Ｂが基本レール１３Ｂに密着、圧接する。
そして、フロントロッド４２、接続かん４３およびロックロッド４４はトングレール１４Ａ，１４Ｂの移動に伴って移動し、ロックロッド４４が差込かんによってロックされ、その位置に止まる（例えば、特許文献１参照。）。
【００１１】
【特許文献１】特開２００６−２６５９３４号公報
【発明の開示】
【発明が解決しようとする課題】
【００１２】
従来、転てつ棒４０の移動ストロークは、例えば、１６０ｍｍとされ、また、動作かん２３の移動ストロークは、電動モータ２５に汎用性を持たせるため、例えば、１８５ｍｍとされているので、両者の移動ストロークの差を、ロッド２７とブラケット３０との間の遊びＡとして吸収している。
しかしながら、トングレール１４Ａ，１４Ｂの間隔は狭いので、この狭い間隔の中でスイッチアジャスタ２６を取り付けたり、交換したり、トングレール１４Ａ，１４Ｂを移動させて軌道を切り替えなければならないため、ロッド２７とブラケット３０との間の遊びを少なく（短く）し、取付、交換を容易に行えるようにスイッチアジャスタ２６のトングレール１４Ａ，１４Ｂ間の構造物を小型化（コンパクトに）することが要望されている。
【００１３】
この発明は、上記した要望に応えるためになされたもので、トングレール間の構造物を小型化（コンパクトに）することができ、間隔の狭いトングレールの間での取付、交換を容易に行うことのできるスイッチアジャスタを提供するものである。
【課題を解決するための手段】
【００１４】
この発明は、以下のような発明である。
（１）  転てつ機の動作かんに接続されたロッドに、このロッドの軸方向の遊びを持たせてブラケットが取り付けられ、このブラケットに、トングレールが取り付けられた転てつ棒が固定された構成とされ、前記動作かんを作動させることにより、前記ロッドを介して前記トングレールを移動させ、前記トングレールを基本レールに接離させるスイッチアジャスタにおいて、前記動作かんと前記ロッドとの接続を、前記動作かんに接続される第１二股部を一端部に有し、前記ロッドに接続される第２二股部を他端部に有したスライドかんを介して行い、前記第１二股部と前記第２二股部とは前記スライドかんの周方向へ９０度回転させた位置関係にあり、前記第２二股部と前記ロッドとを２つ以上の接続具で接続して前記第２二股部と前記ロッドとの間に遊びを設け、前記ロッドと前記ブラケットとの間の遊びを少なくし、前記動作かんと前記ロッドとの接続部分に遊びを設けたことを特徴とする。
【発明の効果】
【００１５】
この発明によれば、ロッドとブラケットとの間の遊びを従来よりも少なくし、動作かんとロッドとの接続部分に遊びを設けたので、ロッドの移動ストロークを短くすることができる。
したがって、スイッチアジャスタのトングレール間の構造物を小型化（コンパクトに）することができ、間隔の狭い基本レールの間でのスイッチアジャスタの取付、交換を容易に行うことができる。
そして、動作かんとロッドとの接続を、動作かんに接続される第１二股部を一端部に有し、ロッドに接続される第２二股部を他端部に有したスライドかんを介して行い、第１二股部と第２二股部とをスライドかんの周方向へ９０度回転させた位置関係にし、第２二股部とロッドとを２つ以上の接続具で接続して第２二股部とロッドとの間に遊びを設けたので、動作かんとスライドかんとの接続部分に余分な力が加わることがなくなるとともに、スライドかんに対してロッドが首を振らなくなってスライドかんとロッドとを接続する接続具の耐久性を向上させることができる。
【発明を実施するための最良の形態】
【００１６】
以下、この発明の実施例を図に基づいて説明する。
【００１７】
図１（ａ），（ｂ）はこの発明の第１実施例であるスイッチアジャスタの一部を省略した正面図と、動作かんとロッドとの接続部分を示す分解平面図であり、図４および図５と同一または相当部分に同一符号を付し、その説明を省略する。
【００１８】
図１において、２７ｃは長円形のスライド取付孔を示し、ロッド２７の二股部２７ａに上下方向に貫通させてロッド２７の軸方向へ設けられ、ロッド２７を動作かん２３に接続する接続具２９がロッド２７の長手方向へ移動可能に挿通され、動作かん２３とロッド２７との接続部分に遊びＢが設けられている。
この遊びＢは、動作かん２３に設けた取付孔２３ａの公差と、二股部２７ａに設けた取付孔２７ｂ（図５参照）の公差とに基づくものではなく、スライド取付孔２７ｃを二股部２７ａに設けることにより、積極的に設けたものである。
なお、ロッド２７とブラケット３０（スリーブ３２）との間の遊びＣは、動作かん２３とロッド２７との間に設けた従来の遊びＡ（図５参照）から遊びＢ（Ｃ＝Ａ−Ｂ）の分だけ短くしてある。
そして、動作かん２３の移動ストロークとロッド２７の移動ストロークとの差を、動作かん２３とロッド２７との接続部分の遊びＢと、ロッド２７とブラケット３０との間の遊びＣとで吸収する構成とされている。
【００１９】
この実施例のスイッチアジャスタ２６の動作は、先に説明した従来例の動作と同様になるので、説明を省略する。
【００２０】
上述したように、この発明の一実施例によれば、ロッド２７とブラケット３０との間の遊びを従来よりも少なくし、動作かん２３とロッド２７との接続部分に遊びＢを設けたので、ロッド２７の移動ストロークを短くすることができる。
したがって、スイッチアジャスタ２６のトングレール間の構造物を小型化（コンパクトに）することができ、間隔の狭いトングレールの間でのスイッチアジャスタ２６の取付、交換を容易に行うことができる。
【００２１】
図２（ａ），（ｂ）はこの発明の第２実施例であるスイッチアジャスタのロッドと動作かんとの接続部分を示す正面図と、ロッドと動作かんとの接続部分を示す分解平面図であり、図１、図４および図５と同一または相当部分に同一符号を付し、その説明を省略する。
【００２２】
図２において、２８はスライドかんを示し、一端部の動作かん２３との接続部分が、動作かん２３の一部を挿入できる第１二股部２８ａとされ、この第１二股部２８ａに、例えば、上下方向に貫通し、動作かん２３の取付孔２３ａと連通するとともに、接続具２９の一部、例えば、軸部が挿通される円形の取付孔２８ｂが設けられ、また、他端部のロッド２７との接続部分が、ロッド２７の一部を挿入できる第２二股部２８ｃとされ、この第２二股部２８ｃに、例えば、左右方向に貫通し、ロッド２７の２つのスライド取付孔２７ｃと連通するとともに、接続具２９の一部、例えば、軸部が挿通される円形の取付孔２８ｄが２つ設けられている。
上記した第１二股部２８ａと第２二股部２８ｃとは、スライドかん２８の周方向へ９０度回転させた位置関係にある。
そして、ロッド２７に２つのスライド取付孔２７ｃが設けられ、動作かん２７とスライドかん２８との接続部分に遊びＢが設けられている。
【００２３】
この実施例のスイッチアジャスタ２６の動作は、先に説明した従来例の動作と同様になるので、説明を省略する。
【００２４】
この実施例においても、ロッド２７とブラケット３０との間の遊びとの間の遊びを従来よりも少なくし、ロッド２７とスライドかん２８との接続部分に遊びＢを設けたので、ロッド２７の移動ストロークを短くすることができる。
したがって、スイッチアジャスタ２６のトングレール間の構造物を小型化（コンパクトに）することができ、間隔の狭いトングレールの間でのスイッチアジャスタ２６の取付、交換を容易に行うことができる。
そして、動作かん２３とロッド２７との接続を、動作かん２３に接続される第１二股部２８ａを一端部に有し、ロッド２７に接続される第２二股部２８ｃを他端部に有したスライドかん２８を介して行い、第１二股部２８ａと第２二股部２８ｃとをスライドかん２８の周方向へ９０度回転させた位置関係にし、第２二股部２８ｃとロッド２７とを２つ以上の接続具２９で接続して第２二股部２８ｃとロッド２７との間に遊びＢを設けたので、動作かん２３とスライドかん２８との接続部分に余分な力が加わることがなくなるとともに、スライドかん２８に対してロッド２７が首を振らなくなってスライドかん２８とロッド２８とを接続する接続具２９の耐久性を向上させることができる。
【００２５】
図３はこの発明の第３実施例であるスイッチアジャスタの設置状態を示す平面図に相当する説明図であり、図１、図２、図４および図５と同一または相当部分に同一符号を付し、その説明を省略する。
【００２６】
図３において、分岐器１１は、枕木に固定された二対（４本）の基本レール１３Ａ，１３Ｂ，１３Ｃ，１３Ｄと、可動式の二対（４本）のトングレール１４Ａ，１４Ｂ，１４Ｃ，１４Ｄとで構成され、基本レール１３Ａ，１３Ｂのいずれかにトングレール１４Ａ，１４Ｂのいずれかを密着、圧接させたり、基本レール１３Ｃ，１３Ｄのいずれかにトングレール１４Ｃ，１４Ｄのいずれかを密着、圧接させることにより、基本レール１３Ａ，１３Ｂまたは基本レール１３Ｃ，１３Ｄに沿って軌道上の車両を基準線または分岐線に導くものである。
【００２７】
そして、スイッチアジャスタ２６は、電気転てつ機の動作かん２３に、スライドかん２８および接続具２９で一端部が遊び（図示省略）を持たせて接続されたロッド２７と、このロッド２７に軸方向の遊びＣを持たせて取り付けられたブラケット３０と、このブラケット３０に固定された転てつ棒４０と、この転てつ棒４０にトングレール１４Ａ，１４Ｂを取り付ける連結板４１Ａ，４１Ｂと、ロッド２７の他端に一端が連結された延長用のロッド２７Ａと、このロッド２７Ａに軸方向の遊びＣを持たせて取り付けられたブラケット３０Ａと、このブラケット３０Ａに固定された転てつ棒４０Ａと、この転てつ棒４０Ａにトングレール１４Ｃ，１４Ｄを取り付ける連結板４１Ｃ，４１Ｄとで構成されている。
なお、トングレール１４Ａ，１４Ｂ同士を絶縁するため、例えば、連結板４１Ａとトングレール１４Ａとの接続部分と、連結板４１Ｂとトングレール１４Ｂとの接続部分との少なくとも一方が絶縁処理され、また、トングレール１４Ｃ，１４Ｄ同士を絶縁するため、例えば、連結板４１Ｃとトングレール１４Ｃとの接続部分と、連結板４１Ｄとトングレール１４Ｄとの接続部分との少なくとも一方が絶縁処理されている。
【００２８】
上記したロッド２７Ａは、一端部のロッド２７との接続部分が、ロッド２７の雄ねじ部２７ｄが螺合する雌ねじ部とされ、この雌ねじ部と反対側に雄ねじ部２７ｄが設けられている。
そして、ブラケット３０Ａは、ブラケット本体３１Ａと、このブラケット本体３１Ａに取り付けられたスリーブ３２Ａとで構成され、ブラケット本体３１Ａが取付ねじ３３Ａで転てつ棒４０Ａに固定されている。
上記したスリーブ３２Ａは、ロッド２７Ａの雄ねじ部２７ｄに螺合させた締付ナット３４Ａと、ロッド２７Ａの雄ねじ部２７ｄに螺合し、締付ナット３４Ａによって固定されるナット３５Ａと、スリーブ３２Ａ内を貫通させたナット３５Ａよりも先のロッド２７Ａの雄ねじ部２７ｄに、スリーブ３２Ａを介してナット３５Ａと対向するとともに、ナット３５Ａとの間隔をスリーブ３２Ａの長さよりも長くして螺合させたナット３６Ａと、ロッド２７Ａの雄ねじ部２７ｄに螺合し、ナット３６Ａを固定する締付ナット３７Ａとにより、ロッド２７Ａの雄ねじ部２７ｄに、ロッド２７Ａの軸方向に遊びＣを持たせて取り付けられている。
なお、各ナット３４Ａ〜３７Ａは、例えば、スリーブ３２Ａに取り付けられた回り止め３９Ａによって回るのを阻止されている。
【００２９】
上記したロッド２７とブラケット３０との間の遊びＣと、ロッド２７Ａとブラケット３０Ａとの間の遊びＣとは、ほぼ同じとされている。
【００３０】
この実施例のスイッチアジャスタ２６の動作は、先に説明した従来例の動作と同様になるので、説明を省略する。
なお、トングレール１４Ａが基本レール１３Ａに密着、圧接するときはトングレール１４Ｃも基本レール１３Ｃに密着、圧接し、また、トングレール１４Ｂが基本レール１３Ｂに密着、圧接するときは、トングレール１４Ｄも基本レール１３Ｄに密着、圧接する。
【００３１】
この実施例においても、ロッド２７とブラケット３０との間の遊びＣ、および、ロッド２７Ａとブラケット３０Ａとの間の遊びＣを従来よりも少なくし、動作かん２３とロッド２７との間に遊びを設けたので、ロッド２７，２７Ａの移動ストロークを短くすることができる。
したがって、スイッチアジャスタ２６のトングレール１４Ａ〜１４Ｄ間の構造物を小型化（コンパクトに）することができ、間隔の狭いトングレール１４Ａ〜１４Ｄの間でのスイッチアジャスタ２６の取付、交換を容易に行うことができる。
そして、動作かん２３とロッド２７との接続を、動作かん２３に接続される第１二股部２８ａを一端部に有し、ロッド２７に接続される第２二股部２８ｃを他端部に有したスライドかん２８を介して行い、第１二股部２８ａと第２二股部２８ｃとをスライドかん２８の周方向へ９０度回転させた位置関係にし、第２二股部２８ｃとロッド２７とを２つ以上の接続具２９で接続して第２二股部２８ｃとロッド２７との間に遊びＢを設けたので、動作かん２３とスライドかん２８との接続部分に余分な力が加わることがなくなるとともに、スライドかん２８に対してロッド２７が首を振らなくなってスライドかん２８とロッド２８とを接続する接続具２９の耐久性を向上させることができる。
また、この実施例の場合、分岐器１１を弾性分岐器にすると、トングレール１４Ａ〜１４Ｄが電動モータの作動によらずに遊びＣの間においては自身の弾性力によっても移動し、トングレール１４Ａ，１４Ｂとトングレール１４Ｃ，１４Ｄとが摩擦などによって一様に移動しないが、遊びＢを設けることによって遊びＣを従来よりも短く（少なく）したので、トングレール１４Ａ，１４Ｄ同士が接触するのを防止することができ、誤検出を防止することができる。
【００３２】
上記した実施例で、転てつ機を動力で転換する電気転てつ機２２とした例で説明したが、転てつ機は、人力で転換する転てつ機であってもよい。
また、第２実施例および第３実施例で、ロッド２７にスライド取付孔２７ｃを設けた例を示したが、スライドかん２８の第２二股部２８ｃにスライド取付孔を設けても、同様な効果を得ることができる。
【図面の簡単な説明】
【００３３】
【図１】（ａ），（ｂ）はこの発明の第１実施例であるスイッチアジャスタの一部を省略した正面図と、動作かんとロッドとの接続部分を示す分解平面図である。
【図２】（ａ），（ｂ）はこの発明の第２実施例であるスイッチアジャスタのロッドと動作かんとの接続部分を示す正面図と、ロッドと動作かんとの接続部分を示す分解平面図である。
【図３】この発明の第３実施例であるスイッチアジャスタの設置状態を示す平面図に相当する説明図である。
【図４】転てつ装置のスイッチアジャスタの設置状態を示す平面図に相当する説明図である。
【図５】（ａ），（ｂ）は従来のスイッチアジャスタの一部を省略した正面図と、ロッドと動作かんとの接続部分を示す分解平面図である。
【符号の説明】
【００３４】
１１            分岐器
１２            枕木
１３Ａ，１３Ｂ  基本レール
１３Ｃ，１３Ｄ  基本レール
１４Ａ，１４Ｂ  トングレール
１４Ｃ，１４Ｄ  トングレール
２１            転てつ装置
２２            電気転てつ機
２３            動作かん
２３ａ          取付孔
２５            電動モータ
２６            スイッチアジャスタ
２７，２７Ａ    ロッド
２７ａ          二股部
２７ｂ          取付孔
２７ｃ          スライド取付孔
２７ｄ          雄ねじ部
２８            スライドかん
２８ａ          第１二股部
２８ｂ，２８ｄ  取付孔
２８ｃ          第２二股部
２９            接続具
３０，３０Ａ    ブラケット
３１，３１Ａ    ブラケット本体
３２，３２Ａ    スリーブ
３３，３３Ａ    取付ねじ
３４，３４Ａ    締付ナット
３５，３５Ａ    ナット
３６，３６Ａ    ナット
３７，３７Ａ    締付ナット
３９，３９Ａ    回り止め
４０，４０Ａ    転てつ棒
４１Ａ，４１Ｂ  連結板
４１Ｃ，４１Ｄ  連結板
４２            フロントロッド
４３            接続かん
４４            ロックロッド
Ａ，Ｂ，Ｃ      遊び
【図１】
0004644224.tif 000002
【図２】
0004644224.tif 000003
【図３】
0004644224.tif 000004
【図４】
0004644224.tif 000005
【図５】
0004644224.tif 000006